(57)【要約】【課題】切断部と圧着部の駆動源を１つにして装置の小型化、軽量化及びコストダウンを図る。【課題の解決手段】連続用紙処理装置は、単位用紙が切り部を介して多数連接され、重ね合わせ面には通常では接着せず所定以上の圧が加えられると接着可能となる感圧性接着剤があらかじめ設けられ、重ね合わされた連続用紙をトラクタ２５で所定方向へ移送し、この移送経路上に上下一対の低速ローラ３４ａ，３４ｂと上下一対の高速ローラ３６ａ，３６ｂとを配置し、各ローラ３４ａ，３４ｂ，３６ａ，３６ｂの移送速度差を利用して切り部で単位用紙毎に切断した後に上下一対の圧着ローラ３７ａ，３７ｂで加圧することにより感圧性接着剤で前記重ね合わせ面を接着するよう構成し、前記圧着ローラ３７ｂの回転駆動源である駆動モータ３８をトラクタ２５、低速ローラ３４ｂ及び前記高速ローラ３６ｂの駆動源となすとともにクラッチ４２ａ，４３ａ，４５ａを介して連繋した。【選択図】図４
2010189170.tif 000002
【特許請求の範囲】
【請求項１】
単位用紙が切り部を介して多数連接されてなり、重ね合わせ面には、通常では接着せず、所定以上の圧が加えられると接着可能となる感圧性接着剤があらかじめ設けられ、重ね合わされてなる連続用紙を所定方向へ移送し、この移送経路上に、上下一対の低速ローラと、上下一対の高速ローラとを配置し、これら低速ローラと高速ローラの移送速度差を利用して切り部で単位用紙毎に切断した後に、上下一対の圧着ローラで加圧することにより感圧性接着剤で前記重ね合わせ面を接着する連続用紙処理装置において、前記圧着ローラの回転駆動源である駆動モータを前記低速ローラ及び前記高速ローラの回転駆動源となすとともに、継断制御機構を介して連繋したことを特徴とする連続用紙処理装置。
【請求項２】
単位用紙が切り部を介して多数連接されてなり、重ね合わせ面には、通常では接着せず、所定以上の圧が加えられると接着可能となる感圧性接着剤があらかじめ設けられ、重ね合わされてなる連続用紙を、トラクタで所定方向へ移送し、この移送経路上に、上下一対の低速ローラと、上下一対の高速ローラとを配置し、これら低速ローラと高速ローラの移送速度差を利用して切り部で単位用紙毎に切断した後に、上下一対の圧着ローラで加圧することにより感圧性接着剤で前記重ね合わせ面を接着する連続用紙処理装置において、前記圧着ローラの回転駆動源である駆動モータを前記トラクタ並びに前記低速ローラ及び前記高速ローラの回転駆動源となすとともに、継断制御機構を介して連繋したことを特徴とする連続用紙処理装置。
【請求項３】
継断制御機構はクラッチであり、このクラッチはトラクタ並びに低速ローラ及び高速ローラの各回転駆動軸に設けたことを特徴とする請求項１又は請求項２に記載の連続用紙処理装置。
【発明の詳細な説明】
【技術分野】
【０００１】
本発明は、単位用紙が切り部を介して連接され、各単位用紙の重ね合わせ面に所定以上の圧が付与されると接着する感圧性接着剤が塗布された連続用紙を、前記重ね合わせ面で重ね合わせた状態でトラクタにより移送しながら、それぞれ上下一対の高速ローラと低速ローラの移送速度差を利用して単位用紙に切断した後に、上下一対の圧着ローラで加圧することにより感圧性接着剤で前記重ね合わせ面を接着する連続用紙処理装置に係り、特に、前記トラクタ、高速ローラ、低速ローラ、圧着ローラとを同一の駆動モータで駆動するものに関するものである。
【背景技術】
【０００２】
通常、連続用紙処理装置における移送部及び切断部と、圧着部とは、それぞれ独立した２つの駆動モータによって各別に駆動するよう構成されている（特許文献１参照）。具体的には図５に示すように、移送部１００及び切断部１０１は、トラクタ１０２の回転駆動軸と、上下一対の高速ローラ１０３及び低速ローラ１０４の各回転駆動軸を駆動モータ１０５に連繋する一方、圧着部１０６は、上下一対の圧着ローラ１０７を圧着モータ１０８に連繋してある。このように、移送部１００及び切断部１０１と圧着部１０６とを各別の駆動源で駆動するのは、予め駆動モータ１０８のみを駆動して圧着ローラ１０７の回転及び速度が安定してから、駆動モータ１０５を駆動してトラクタ１０２及び各上下一対のローラ１０３，１０４を回転駆動して切断圧着作業を行い、圧着ローラ１０７の回転むらによる前記圧着ローラ１０７の回転速度変化に起因する重ね合わせ面への圧着力の強弱の発生を回避するためである。このように、圧着ローラ１０７の回転速度が速くなるにしたがって圧着力は弱くなるので、圧着力の強弱が発生すると感圧性接着剤による接着力にも強弱が発生する。
【先行技術文献】
【特許文献】
【０００３】
【特許文献１】特開２００１−１３０８１６
【発明の概要】
【発明が解決しようとする課題】
【０００４】
しかしながら、連続用紙処理装置に２つの独立した駆動源を設けることは、連続用紙処理装置全体の小型化及び軽量化に支障がでるとともに、コストアップになるという不都合があった。
【０００５】
本発明は、このような不都合を解消した連続用紙処理装置を提供することを目的とする。
【課題を解決するための手段】
【０００６】
この目的を達成するために、本発明の請求項１に係る連続用紙処理装置は、単位用紙が切り部を介して多数連接されてなり、重ね合わせ面には、通常では接着せず、所定以上の圧が加えられると接着可能となる感圧性接着剤があらかじめ設けられ、重ね合わされてなる連続用紙を所定方向へ移送し、この移送経路上に、上下一対の低速ローラと、上下一対の高速ローラとを配置し、これら低速ローラと高速ローラの移送速度差を利用して切り部で単位用紙毎に切断した後に、上下一対の圧着ローラで加圧することにより感圧性接着剤で前記重ね合わせ面を接着する連続用紙処理装置において、前記圧着ローラの回転駆動源である駆動モータを、前記低速ローラ及び前記高速ローラの回転駆動源となすとともに、継断制御機構を介して連繋したものである。
【０００７】
また、本願発明の請求項２に係る連続用紙処理装置は、単位用紙が切り部を介して多数連接されてなり、重ね合わせ面には、通常では接着せず、所定以上の圧が加えられると接着可能となる感圧性接着剤があらかじめ設けられ、重ね合わされてなる連続用紙を、トラクタで所定方向へ移送し、この移送経路上に、上下一対の低速ローラと、上下一対の高速ローラとを配置し、これら低速ローラと高速ローラの移送速度差を利用して切り部で単位用紙毎に切断した後に、上下一対の圧着ローラで加圧することにより感圧性接着剤で前記重ね合わせ面を接着する連続用紙処理装置において、前記圧着ローラの回転駆動源である駆動モータを、前記トラクタ並びに前記低速ローラ及び前記高速ローラの回転駆動源となすとともに、継断制御機構を介して連繋したものである。
【０００８】
さらに、本願発明の請求項３に係る連続用紙処理装置は、請求項１又は請求項２に記載の発明の継断制御部機構はクラッチであり、このクラッチはトラクタ並びに低速ローラ及び高速ローラの各回転駆動軸に設けたことを特徴とするものである。
【発明の効果】
【０００９】
本発明の請求項１に係る連続用紙処理装置によれば、継断制御機構を切断状態にして駆動源を予め駆動させて圧着ローラの回転を安定させることが可能なので、作業直後の圧着力の強弱の発生を回避して接着むらをなくすことができるとともに、従来のように低速ローラ及び高速ローラと圧着ローラとを異なる駆動源で駆動するのではなく、同じ駆動源で駆動するように構成したので、装置の小型、軽量化及びコストダウンを図ることができるうえ、占有面積も小さくできるという効果を奏する。
【００１０】
本発明の請求項２に係る連続用紙処理装置によれば、継断制御機構を切断状態にして駆動源を予め駆動させて圧着ローラの回転を安定させることが可能なので、作業直後の圧着力の強弱の発生を回避して接着むらをなくすことができるとともに、従来のようにトラクタ、低速ローラ及び高速ローラと圧着ローラとを異なる駆動源で駆動するのではなく、同じ駆動源で駆動するように構成したので、装置の小型、軽量化及びコストダウンを図ることができるうえ、占有面積も小さくできるという効果を奏する。
【００１１】
本発明の請求項３に係る連続用紙処理装置によれば、請求項１又は請求項２に係る発明の奏し得る効果に加えて、継断制御部機構をクラッチで構成して従来の回転軸に設けたので、請求項１に係る発明に従属する場合は、低速ローラ及び高速ローラと駆動源である駆動モータとの継断制御が確実かつ容易で、クラッチも小型でよいという効果を奏し、また、請求項２に係る発明に従属するは、トラクタ並びに低速ローラ及び高速ローラと駆動源である駆動モータとの継断制御が確実かつ容易で、クラッチも小型でよいという効果を奏する。
【図面の簡単な説明】
【００１２】
【図１】連続用紙処理装置の全体を示す概略的な斜視図。
【図２】処理対象となる連続用紙の表面側を示す斜視図。
【図３】連続用紙を構成する単位用紙の裏面側を示す平面図。
【図４】連続用紙処理装置の駆動系を示す概略的正面図。
【図５】従来例のおける連続用紙処理装置の駆動系を示す概略的正面図。
【発明を実施するための形態】
【００１３】
以下、本発明を封書作成用の連続用紙に適用した場合の好適な実施形態について添付図面に基づき説明する。
【００１４】
はじめに、封書作成用の連続用紙について図２及び図３に基づき説明する。図２に示すように、連続用紙１は、切り部たる折り兼切り用ミシン目２を介して単位用紙３が縦方向に多数連接されてなる。図２及び図３に示すように、各単位用紙３は、上紙片４と下紙片５とが切り用ミシン目６を介して横方向に連接されている。各単位用紙３の両端部には、切り用ミシン目７ａ，７ｂを境として移送孔８ａ、８ｂが等間隔に多数透設されたマージナル部９ａ，９ｂが設けられている。
【００１５】
図２及び図３に示すように、下紙片５には、切り用ミシン目６に沿って、移送孔８ｃが等間隔に多数透設されたマージナル部９ｃが切り用ミシン目７ｃを境として設けられている。上紙片４には、各切り用ミシン目６，７ａの内側に沿って、それぞれ切り用ミシン目１０ｂ，１０ａが設けられている。一方、前記下紙片５には、各切り用ミシン目７ｂ，７ｃの内側に沿って、それぞれ切り用ミシン目１０ｄ，１０ｃが設けられている。
【００１６】
すなわち、切り用ミシン目６で単位用紙３を上紙片４と下紙片５とに切り離し、これらの紙片４，５を重ねた時に、切り用ミシン目１０ａと１０ｃ、切り用ミシン目１０ｂと１０ｄ、とがそれぞれ重なり合い、また、マージナル部９ａと９ｃとが重なり合うもので、下紙片５のミシン目７ｂに沿ったマージナル部９ｂは、上紙片４とは重なり合わず突出した状態となる。さらに、単位用紙３の下端に沿って、前記切り用ミシン目１０ａ，１０ｂ，１０ｃ，１０ｄと直交するように延びる切り用ミシン目１１が設けられている。
【００１７】
図２で理解できるように、下紙片５の表面側には、各切り用ミシン目１０ｃ，１０ｄ，１１の外側に位置して、左右対称なパターンで、通常では接着せず、所定以上の圧が付与されると接着可能となる、感圧性接着剤１２ａ及び１２ｂが塗布されている。そして、前記感圧性接着剤１２ａの縦方向に延びる部分は、前記感圧性接着剤１２ｂの縦方向に延びる部分よりも外側に設けられることにより、連続状態にある単位用紙３が折り兼切り用ミシン目２でジグザグ状に折りたたまれた時に、対向面どうしの各感圧性接着剤１２ａ，１２ｂ同士が接触しないようなパターンになっている。
【００１８】
さらに、図３で理解できるように、上紙片４の裏面側には、各切り用ミシン目１０ａ，１０ｂ，１１の外側に位置して、前述と同一のパターンで感圧性接着剤１２ｃ及び１２ｄが塗布されている。そして、これらの感圧性接着剤１２ｃ及び１２ｄは、上紙片４と下紙片５とが切り重ねられた時に、感圧性接着剤１２ａ及び１２ｂとそれぞれ対接する一方、連続状態にある各単位用紙３が折り兼切り用ミシン目２でジグザグ状に折りたたまれた時に、対向面どうしの各感圧性接着剤１２ｃ，１２ｄが接触しないようになっている。
【００１９】
図２に示すように、上紙片４の表面側には宛名があらかじめ印字され、また、下紙片５の表面側には、例えば、案内文やメッセージ、請求金額、領収金額などの各種の通知情報があらかじめ印字されている。なお、これらの印字は、印字内容をデータ入力したコンピュータに連繋されたプリンタによって行なわれる。
【００２０】
次に、上述した連続用紙１の処理装置を図１に基づいて説明する。処理装置は、連続用紙１の移送方向に順次配置した、重ね合わせ装置２０と移送装置であるトラクタ２５と、切断圧着装置３０と、スタック装置５０とからなる。重ね合わせ装置２０は、各折り兼切り用ミシン目２でジグザグ状に折り重ねられている連続用紙１を引き出して、上紙片４と下紙片５とに切り離したうえ、感圧性接着剤１２ａ，１２ｂ，１２ｃ，１２ｄ塗布面同士を重ね合わせるものである。トラクタ２５は重ね合わせた連続用紙１を所定方向に移送するものである。切断圧着装置３０は、重ね合わせた連続用紙１を単位用紙３に切断し、感圧性接着剤１２ａ，１２ｂ，１２ｃ，１２ｄで重ね合わせ面を接着して、封書１３を作成するものである。スタック装置５０は、作成した封書１３を順次積み重ねていくものである。
【００２１】
重ね合わせ装置２０は、連続用紙１を引き上げ（図２参照）、両端に位置する移送孔８ａ，８ｂにピンをそれぞれ係合して移送するトラクタ（図示せず）と、上紙片４と下紙片５とに切り用ミシン目６で切り離すとともに、前記連続状態にある切り離された上紙片４と下紙片５とをガイドバー２１と重ね合わせガイド２２により重ね合わせるように構成される。
【００２２】
重ね合わされた各紙片４，５を移送するトラクタ２５の移送方向端部に対応位置して各マージナル部９ａ，９ｃ及び９ｂを切断するスリッタ２６ａ，２６ｂが付設されている。切断圧着装置３０は、切断部３１ａと圧着部３１ｂとからなるもので、前記切断部３１ａは、上紙片４と下紙片５とが重ね合わされた連続用紙１の一端側を軽く加圧して仮接着する上下一対の仮接着コロ３３ａ，３３ｂと、上下一対の低速回転をする低速ローラ３４ａ，３４ｂと、ブレード３５と、上下一対の高速回転をする高速ローラ３６ａ，３６ｂとからなる。また、前記圧着部３１ｂは、上下一対の圧着ローラ３７ａ，３７ｂにより構成する。そして、切断部３１ａにおいて、前記低速ローラ３４ａ，３４ｂと高速ローラ３６ａ，３６ｂとの移送速度差により連続用紙１に適度の張力を与え、折り兼切り用ミシン目２にブレード３５を当ててこのミシン目２を破断し、上紙片４と下紙片５とが重ね合わされた単位用紙３となし、続いて、圧着部３１ｂにおいて、圧着ローラ３７ａ，３７ｂによる加圧で上紙片４と下紙片５の重ね合わせ面の周縁を、感圧性接着剤１２ａ，１２ｂ，１２ｃ，１２ｄにより接着し、封書１３とするものである。
【００２３】
図４に示すように、切断圧着装置３０は、連続用紙処理装置の所定位置に配置された駆動源である駆動モータ３８により駆動するもので、該駆動モータ３８の回転駆動軸３９は、圧着ローラ３７ｂの回転軸４０とはエンドレスベルト４１により直接的に連繋し、また、低速ローラ３４ｂの回転軸４２及び前記高速ローラ３６ｂの回転軸４３とは電磁クラッチ４２ａ，４３ａを介してエンドレスベルト４４により連繋し、さらに、トラクタ２５の回転駆動軸４５とは電磁クラッチ４５ａを介してエンドレスベルト４６により連繋する。なお、前記各電磁クラッチ４２ａ，４３ａ，４５ａは、それぞれ各回転軸４２，４３，４５に設けてある。そして、必要に応じて前記各電磁クラッチ４２ａ，４３ａ，４５ａを各回転軸４２，４３，４５に継断することによって、駆動モータ３８の駆動力を、圧着ローラ３７ｂのみ、あるいは圧着ローラ３７ｂ、低速ローラ３４ｂ、高速ローラ３６ｂ及びトラクタ２５のすべてにそれぞれ伝達するように駆動制御することが可能である。
【００２４】
図１に示すように、スタック装置５０は、作成された封書１３を順次積み重ねていくもので、図示してはいないが、積み重ね量に応じて昇降可能な載置台を備えており、積み重ね量が所定量になると、封書１３は搬出されるものである。
【００２５】
続いて、上述のように構成した処理装置による、連続用紙１の処理方法、すなわち封書１３の作成方法を、図１及び図４に基づいて説明する。先ず、低速ローラ３４ｂ、高速ローラ３６ｂ及びトラクタ２５の各回転軸４２，４３，４５に設けられた電磁クラッチ４２ａ，４３ａ，４５ａを切断した状態において、該駆動モータ３８を所定時間予備回転させて前記圧着ローラ３７ａ，３７ｂのみを回転駆動させる。所定時間経過後その回転が安定したところで、前記各電磁クラッチ４２ａ，４３ａ，４５ａをつなぐと、重ね合わされた上紙片４と下紙片５とは、ガイドバー２１を通過する際に重ね合わせガイド２２によって、各紙片４，５の感圧性接着剤１２ａ，１２ｂ，１２ｃ，１２ｄを塗布した重ね合わせ面同士が対接するように重ね合わされる。この重ね合わせ状態は、トラクタ２５のピンに各紙片４，５の移送孔８ａ，８ｃが上下に重なって係合されることにより正規化される。そして、トラクタ２５を通過する時に、重なり合った各マージナル部９ａ，９ｃ及びマージナル部９ｂは一対のスリッタ２６ａ，２６ｂによりそれぞれ切り離される。
【００２６】
次いで、仮接着コロ３３ａ，３３ｂの加圧により、重ねられた連続状態にある上紙片４と下紙片５の幅方向一端側の対接する感圧性接着剤１２ａ，１２ｂ，１２ｃ，１２ｄ同士が仮接着される。そして、上下一対の低速ローラ３４ａ，３４ｂを経てブレード３５の下を通過し、上下一対の高速ローラ３６ａ，３６ｂに至ると、前記各ローラ３４ａ，３４ｂ，３６ａ，３６ｂの移送速度差によって適度の張力が付与され、折り兼切り用ミシン目２にブレード３５が当接すると前記ミシン目２が破断されて単位用紙３となり、続いて、上下一対の圧着ローラ３７ａ，３７ｂによって加圧され、対接する感圧性接着剤１２ａ，１２ｂ，１２ｃ，１２ｄ同士が完全に接着されて、封書１３となる。
【００２７】
このようにして作成された封書１３は、スタック装置５０の図示していない昇降可能な載置台に順次積み重ねられ、積み重ね量が所定量になると、搬出されるものである
【００２８】
なお、本発明は、上述した実施形態に限定されるものではなく、例えば、移送装置２５及び切断圧着装置３０の前後に設けた重ね合わせ装置２０とスタック装置５０の構成は、処理対象である連続用紙１の構成に応じて種々変更可能であり、加えて、これらの装置２０，５０に換えて別の装置を移送装置２５及び切断圧着装置３０と組み合わせて処理装置を構成したり、切断圧着装置３０を独立した装置として使用することも可能である。また、切断圧着する連続用紙１は、封書用でなくてもよいうえ、３枚以上の用紙を重ね合わせたものでもよい。この連続用紙１の重ね合わせは、切り重ねに限らず、二つ折り、三つ折りなど、折り重ねてもよい。さらに、重ね合わせ面に設ける感圧性接着剤は、接着後に剥離可能な接着剤でもよく、この場合は、前記重ね合わせ面の全面に設けるとよい。
【符号の説明】
【００２９】
１      連続用紙
２      折り兼切り用ミシン目
３      単位用紙
４      上紙片
５      下紙片
６，７ａ，７ｂ，７ｃ，１０ａ，１０ｂ，１０ｃ，１０ｄ，１１      切り用ミシン目
１２ａ，１２ｂ，１２ｃ，１２ｄ      感圧性接着剤
１３      封書
２０      重ね合わせ装置
２５      トラクタ
３０      切断圧着部
３１ａ      切断部
３１ｂ      圧着部
３３ａ，３３ｂ      仮接着コロ
３４ａ，３４ｂ      低速ローラ
３５      ブレード
３６ａ，３６ｂ      高速ローラ
３７ａ．３７ｂ      圧着ローラ
３８      駆動モータ
３９      回転駆動軸
４０，４２，４３，４５      回転軸
４１，４４，４６      エンドレスベルト
４２ａ，４３ａ，４５ａ      電磁クラッチ
５０      スタック装置
【図１】
2010189170.tif 000003
【図２】
2010189170.tif 000004
【図３】
2010189170.tif 000005
【図４】
2010189170.tif 000006
【図５】
2010189170.tif 000007